(57)【要約】【課題】大規模な地震が発生した場合などでもずれたり、崩れ落ちることのない笠石を提供する。【解決手段】内部空間を有する唐戸石部２と、唐戸石部２の直上に設けられた、唐戸石部２を覆う笠石部４ａとを備える。唐戸石部２の上部に嵌合するように、笠石部４ａの下面に唐戸石部２の上部と同じ形で凹部２１が形成されている。【選択図】図１
2008101443.tif 000002
【特許請求の範囲】
【請求項１】
内部空間を有する唐戸石部と、前記唐戸石部の直上に設けられた該唐戸石部を覆う笠石部とを備えた墓石であって、
前記唐戸石部の上部に嵌合するように、前記笠石部の下面に前記唐戸石部の上部と同じ形で凹部が形成されていることを特徴とする墓石。
【請求項２】
前記唐戸石部の上部は、平面形状がコの字状に形成されている一方、
前記笠石部の下面に形成された凹部は、前記平面形状がコの字状に形成された唐戸石部の上部に嵌合するコの字状の平面を有して形成されていることを特徴とする請求項1に記載の墓石。
【請求項３】
前記唐戸石部の上部は、平面形状がロの字状に形成されている一方、
前記笠石部の下面に形成された凹部は、前記平面形状がロの字状に形成された唐戸石部の上部に勘合するロの字状の平面を有して形成されていることを特徴とする請求項1に記載の墓石。
【請求項４】
内部空間を有する唐戸石部と、前記唐戸石部の直上に設けられた該唐戸石部を覆う笠石部とを備えた墓石であって、
前記唐戸石部の上部に嵌合するように、前記笠石部の下面に凹部が形成されており、
前記唐戸石部の上部は、平面形状がコの字状に形成されている一方、
前記笠石部の下面に形成された凹部は、前記平面形状がコの字状に形成された唐戸石部の上部に勘合するロの字状の平面を有して形成されていることを特徴とする墓石。
【請求項５】
内部空間を有する唐戸石部と、前記唐戸石部の直上に設けられた該唐戸石部を覆う笠石部とを備えた墓石であって、
前記唐戸石部の上部に嵌合するように、前記笠石部の下面に凹部が形成されており、
前記唐戸石部の上部は、平面形状がコの字状に形成されている一方、
前記笠石部の下面に形成された凹部は、前記唐戸石部のコの字状の三辺の外枠とコの字の始点と終点を結んだ直線との四辺に嵌合する四角面状の平面を有して形成することを特徴とする墓石。
【請求項６】
内部空間を有する唐戸石部と、前記唐戸石部の直上に設けられた該唐戸石部を覆う笠石部とを備えた墓石であって、
前記唐戸石部の上部に嵌合するように、前記笠石部の下面に凹部が形成されており、
前記唐戸石部の上部は、平面形状がロの字状に形成されている一方、
前記笠石部の下面に形成された凹部は、前記平面形状がロの字状に形成された唐戸石部のロの字状の外枠に嵌合する四角面状の平面を有して形成することを特徴とする墓石。
【発明の詳細な説明】
【技術分野】
【０００１】
本発明は、墓石、特に該唐戸石部を覆う笠石部を備えた笠墓の墓石に関するものである。
【背景技術】
【０００２】
従来の笠墓の一例が、特許文献１に開示されている。図１０は、このような笠墓の墓石１００の構成を示す正面図である。墓石１００は、図１０に示すように、最下部に設置される根太石１０１の直上に、前面に開口部を有する唐戸石１０２が設けられ、その直上に笠石１０３が設けられている。そして、笠石１０３は唐戸石１０２の上面を完全に覆ってさらに前後左右にはみ出る大きさである。これは雨水等が、唐戸石１０２と笠石１０３の隙間から唐戸石１０２の内部空間である納骨室（図示せず）等に入らないようにするためである。
【０００３】
また、墓石１００の最上部には、例えば蓮などの装飾１０４を施した塔石１０５が載置されている。さらに、墓石１００の笠石１０３と塔石１０５との間には、複数の台石１０４ａ〜１０４ｃが積み重ねられている。なお、唐戸石１０２の前面に設けられた前記開口部は、通常２つの直方体状の前蓋１０６ａ・１０６ｂによって塞がれる。
【０００４】
このように、笠墓の墓石は、根太石の上側に唐戸石を備え、その上側に笠石を備えると共に最上部に塔石を有し、笠石と塔石との間には、上台石等の積み石が数段積み重ねられている構造である。
【０００５】
そして、従来の墓石では、根太石の上側に積み重ねられた唐戸石等の積み石は、それぞれ、セメント等によって接着固定される構造となっている。
【０００６】
ところが、前記のように、それぞれの積み石がセメント等により接着固定されていても、雨水等がこのセメント等の周りもしくは内部に侵入することがある。そして、例えば、冬期において雨水等がセメント等の周りに侵入して溜まると、この水が凍り体積が増加する。そして、各積み石の間に充填されたセメント等の付着力を低下させる。この結果、強風や他の外力により積み石が容易に転倒してしまうという問題点が生じる。
【０００７】
このような問題点を解決するために特許文献１には、各積み石の上面部に凸部、下面部に凹部を設け、両者を嵌合することによって解決する方法が開示されている。具体的には、図１１（ａ）、図１１（ｂ）に示すように、唐戸石２０２の上面２０２ａにおける略中央位置、及び上台石２０３の上面２０３ａにおける略中央位置に、上向きに突出する４角柱形状の凸部２１２ａ・凸部２１３ａがそれぞれ形成すると共に、この上台石２０３に上積みされる上台石２０４の略中央位置に、凸部２１２ａに嵌合する凹部２１３ｂをそれぞれ形成する。
【０００８】
そして、墓石２００は、凸部２１２ａと凹部２１３ｂとで構成される嵌合手段を複数設けることにより（図１１（ａ）の凸部２１２ａ〜凸部２１４ａ及び凹部２１３ｂ〜凹部２１５ｂを参照）、それぞれの積み石同士を固定することで墓石２００が容易に転倒しないようにしている。
【０００９】
ここで、図１１（ａ）は、墓石２００が、前記問題点を克服するために採用した構成を説明するための断面図、図１１（ｂ）は、墓石２００の構造の概略を示す斜視図である。
【特許文献１】特開平０７−０４８９５８号公報（１９９５年０２月２１日公開）
【発明の開示】
【発明が解決しようとする課題】
【００１０】
しかしながら、特許文献１には、笠石と唐戸石との積み重ね部分については、嵌合手段を用いること等何ら開示されていない。仮に、前記嵌合手段を笠石と唐戸石の積み重ね部分に用いたとしても、前記嵌合手段は、それぞれの積み石の大きさと比較してかなり小さい構造であり、大規模な地震などが発生した場合には、破損してしまう場合も考えられる。
【００１１】
そして、このように前記嵌合手段が破損してしまった場合、前記嵌合手段が担っていた本来の効果を発揮できなくなる。その結果、笠石がずれたり、最悪の場合には崩れ落ちることも考えられる。
【００１２】
また、前記のように、笠石の上側に塔石や複数の台石が設置されており、ずれた場合はその影響は大きく、修復にも時間がかかる。
【００１３】
本発明は、このような問題点に鑑みてなされたものであり、その目的は、笠墓において、大規模な地震が発生した場合などでも笠石がずれたり、崩れ落ちたりすることがない墓石を提供することにある。
【課題を解決するための手段】
【００１４】
本発明の墓石は、前記課題を解決するために、内部空間を有する唐戸石部と、前記唐戸石部の直上に設けられた該唐戸石部を覆う笠石部とを備えた墓石であって、前記唐戸石部の上部に嵌合するように、前記笠石部の下面に前記唐戸石部の上部と同じ形で凹部が形成されていることを特徴としている。
【００１５】
前記構成によれば、唐戸石部と笠石部を積み重ねた場合、唐戸石部の上部と笠石部の下部がかみ合うので、両石部は強固に嵌合される。
【００１６】
よって、大規模な地震が発生した場合などでも、笠石がずれたり崩れ落ちたりすることがない。
【００１７】
また、本発明の墓石は、前記唐戸石部の上部が、平面形状がコの字状に形成されている一方、前記笠石部の下面に形成された凹部は、前記平面形状がコの字状に形成された唐戸石部の上部に嵌合するコの字状の平面を有して形成されていることが好ましい。
【００１８】
これにより、唐戸石部と笠石部を積み重ねた場合、唐戸石部の上部と笠石部の下部がかみ合うので、両石部は強固に嵌合される。
【００１９】
よって、大規模な地震が発生した場合などでも、笠石がずれたり崩れ落ちたりすることがない。
【００２０】
また、本発明の墓石は、前記唐戸石部の上部は、平面形状がロの字状に形成されている一方、前記笠石部の下面に形成された凹部は、前記平面形状がロの字状に形成された唐戸石部の上部に勘合するロの字状の平面を有して形成されていることが好ましい。
【００２１】
これにより、唐戸石部と笠石部を積み重ねた場合、唐戸石部の上部と笠石部の下部がかみ合うので、両石部は強固に嵌合される。
【００２２】
よって、大規模な地震が発生した場合などでも、笠石がずれたり崩れ落ちたりすることがない。
【００２３】
また、本発明の墓石は、前記課題を解決するために、内部空間を有する唐戸石部と、前記唐戸石部の直上に設けられた該唐戸石部を覆う笠石部とを備えた墓石であって、前記唐戸石部の上部に嵌合するように、前記笠石部の下面に凹部が形成されており、前記唐戸石部の上部は、平面形状がコの字状に形成されている一方、前記笠石部の下面に形成された凹部は、前記平面形状がコの字状に形成された唐戸石部の上部に勘合するロの字状の平面を有して形成されていることを特徴としている。
【００２４】
前記構成によれば、唐戸石部と笠石部を積み重ねた場合、唐戸石部の上部と笠石部の下部がかみ合うので、両石部は強固に嵌合される。
【００２５】
よって、大規模な地震が発生した場合などでも、笠石がずれたり崩れ落ちたりすることがない。
【００２６】
また、笠石部下面の凹部はロの字状をしているので、唐戸石部を、図５に示すような唐戸石部の上部がロの字状のものに変更した場合でもそのまま利用できる。この場合も唐戸石部と笠石部を積み重ねると、唐戸石部の上部と笠石部の下部がかみ合うので、両石部は強固に嵌合される。
【００２７】
また、本発明の墓石は、前記課題を解決するために、内部空間を有する唐戸石部と、前記唐戸石部の直上に設けられた該唐戸石部を覆う笠石部とを備えた墓石であって、前記唐戸石部の上部に嵌合するように、前記笠石部の下面に凹部が形成されており、前記唐戸石部の上部は、平面形状がコの字状に形成されている一方、前記笠石部の下面に形成された凹部は、前記唐戸石部のコの字状の三辺の外枠とコの字の始点と終点を結んだ直線との四辺に嵌合する四角面状の平面を有して形成することを特徴としている。
【００２８】
前記構成によれば、唐戸石部と笠石部を積み重ねた場合、唐戸石部の上部と笠石部の下部がかみ合うので、両石部は、強固に嵌合される。
【００２９】
よって、大規模な地震が発生した場合などでも、笠石がずれたり崩れ落ちたりすることがない。
【００３０】
また、本発明の墓石は、前記課題を解決するために、内部空間を有する唐戸石部と、前記唐戸石部の直上に設けられた該唐戸石部を覆う笠石部とを備えた墓石であって、前記唐戸石部の上部に嵌合するように、前記笠石部の下面に凹部が形成されており、前記唐戸石部の上部は、平面形状がロの字状に形成されている一方、前記笠石部の下面に形成された凹部は、前記平面形状がロの字状に形成された唐戸石部のロの字状の外枠に嵌合する四角面状の平面を有して形成することを特徴としている。
【００３１】
前記構成によれば、唐戸石部と笠石部を積み重ねた場合、唐戸石部の上部と笠石部の下部がかみ合うので、両石部は、強固に嵌合される。
【００３２】
よって、大規模な地震が発生した場合などでも、笠石がずれたり崩れ落ちたりすることがない。
【発明の効果】
【００３３】
本発明の墓石は、以上のように、唐戸石部の上部に嵌合するように、笠石部の下面に凹部が形成されているものである。
それゆえ、大規模な地震が発生した場合などでも笠石がずれたり、崩れ落ちたりすることがなく、安定した墓石を提供することができるという効果を奏する。
【発明を実施するための最良の形態】
【００３４】
〔実施の形態１〕
本発明の一実施形態について図１、２に基づいて説明すれば、以下の通りである。
【００３５】
まず、図２に基づき、本発明の実施形態である墓石１０の構成について説明する。
【００３６】
図２は、墓石１０の構成の概要を示す正面図である。墓石１０は、図２に示すように、最下部に位置する根太石部１の直上に唐戸石部２を備えると共に最上部に塔石部３を備え、唐戸石部２と塔石部３との間に、笠石部４ａ・台石部４ｂを備える。
【００３７】
墓石１０の根太石部1は、２つの直方体を重ねたような２段構成となっているが、直方体の１段構成であっても良いし、３つ以上の直方体を重ねたような３段以上の構成であっても良い。
【００３８】
また、墓石１０の台石部は、笠石部４ａ及び上石台と称される台石部４ｂを備える２段構成となっているが、１段の台石部で構成されていても良いし、３段以上の台石部で構成されていても良い。
【００３９】
なお、唐戸石部２の正面側には略四角形状の前面開口部２２が形成され、裏側に向かって彫りこまれている。この前面開口部２２は、唐戸石部２に内部空間を形成し骨壺納骨室（内部空間）となる。
【００４０】
そして、墓石１０の笠石部４ａは下面に唐戸石部２の上部側と嵌合するように凹部が形成される。すなわち、図１示すように、唐戸石部２は、四側壁からなる一体枠形状に形成されており、さらに、前面開口部２２が形成されている。そして、前面開口部２２は、唐戸石部２の下部側で全周にわたる一体枠構造を保持するとともに、前側壁の上端から略Ｕ字状の切欠形状を有して形成される。そして、笠石部４ａは、下面に、唐戸石部２の上部側と同じ形で嵌合するように凹部が形成される。具体的には、唐戸石部２の上部は、平面形状がコの字状に形成される。そして、笠石部４ａの下面に形成された凹部は、平面形状がコの字状に形成された唐戸石部２の上部に嵌合するように、コの字状の平面を有して形成される。
【００４１】
それゆえ唐戸石部２と笠石部４ａとを積み重ねた場合、両石部は唐戸石部２の上部と笠石部４ａの下部がかみ合う結果、強固に固定される。したがって、従来の墓石のように、笠石部４ａと唐戸石部２が単に積み重ねられた墓石と比較して、大規模な地震が発生した場合などでも容易にずれたり、崩れ落ちたりすることがない。
【００４２】
〔実施の形態２〕
本発明の他の実施の形態について図３に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００４３】
墓石１０の構成部は前記実施の形態１と同様である。異なっているのは、図３に示すように、笠石部４ａの下面に形成される凹部が唐戸石部２の上部側の外枠とだけ嵌合するようになっている点である。具体的には、唐戸石部２の上部は、平面形状がコの字状に形成される。そして、笠石部４ａの下面に形成された凹部は、唐戸石部２の上部平面のコの字状の三辺の外枠とコの字の始点と終点を結んだ直線との四辺に嵌合する四角面状の平面を有して形成される。
【００４４】
この場合も、唐戸石部２と笠石部４ａとを積み重ねた場合、両石部は唐戸石部２の上部と笠石部４ａの下部がかみ合う結果、強固に固定されるので、従来の墓石のように、笠石部４ａと唐戸石部２が単に積み重ねられた墓石と比較して、大規模な地震が発生した場合などでも容易にずれたり、崩れ落ちたりすることがない。
【００４５】
〔実施の形態３〕
本発明のさらに他の実施の形態について図４にもとづいて説明すれば、以下の通りである。
【００４６】
墓石１０の構成部は前記実施の形態１と同様である。異なっているのは、図４に示すように、笠石部４ａの下面に形成される凹部がロの字状であり、外側が唐戸石部２の外枠、内側が唐戸石部２の内枠と嵌合する点である。具体的には、唐戸石部２の上部平面のコの字状に嵌合するように笠石部４ａの下面に平面がコの字状になる凹部が形成され、さらに、コの字の始点と終点とを結ぶように凹部が形成される。そして、最終的には、凹部は平面がロの字状となる。
【００４７】
この場合も、唐戸石部２と笠石部４ａとを積み重ねた場合、両石部は唐戸石部２の上部と笠石部４ａの下部がかみ合う結果、強固に固定されるので、従来の墓石のように、笠石部４ａと唐戸石部２が単に積み重ねられた墓石と比較して、大規模な地震が発生した場合などでも容易にずれたり、崩れ落ちたりすることがない。
【００４８】
また、笠石部４ａの下面の凹部がロの字状なので、唐戸石部２が図５に示す上部平面がロの字状の場合でも、新たに加工を要することなく、組み合わせることができる。
【００４９】
なお、上記各実施の形態では、唐戸石部２の前面開口部２２が略Ｕ字状の切欠形状の場合を説明したが、唐戸石部２の前面開口部２２は、図５に示すように、唐戸石部２の上部側で全周にわたる一体枠構造を保持するとともに、前面壁の下端から略逆Ｕ字状の切欠形状を有して形成される構造でもよい。
【００５０】
この場合、例えば上記実施の形態１に適用すると、図７に示すように、笠石部４ａの下面の凹部は、ロの字状平面の唐戸石部２上面と嵌合するように、ロの字状の平面を有して形成される。また、上記実施の形態２に適用すると、図８に示すように、笠石部４ａの下面の凹部は、唐戸石部２の上面の外枠と嵌合するように、四角面状に形成される。
【００５１】
また、唐戸石部２の上部は、図６に示すように上面全体が塞がれる構造でも良い。
【００５２】
この場合、例えば上記実施の形態２に適用すると、図９に示すように、笠石部４ａの下面の凹部は、唐戸石部２の上面の外枠と嵌合するように、四角面状の平面を有して形成される。
【００５３】
さらに、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５４】
本発明は、笠墓の墓石の構成部である笠石に適用できる。
【図面の簡単な説明】
【００５５】
【図１】本発明における墓石の実施の一形態を示すものであり、笠石部の構造を示す斜視図である。
【図２】上記墓石の全体を示す正面図である。
【図３】本発明における墓石の他の実施の形態を示すものであり、笠石部の構造を示す斜視図である。
【図４】本発明における墓石のさらに他の実施の形態を示すものであり、笠石部の構造を示す斜視図である。
【図５】本発明における墓石のさらに他の実施の形態を示すものであり、唐戸石部の構造を示す斜視図である。
【図６】本発明における墓石のさらに他の実施の形態を示すものであり、唐戸石部の構造を示す斜視図である。
【図７】本発明における墓石のさらに他の実施の形態を示すものであり、笠石部と唐戸石部の構造を示す斜視図である。
【図８】本発明における墓石のさらに他の実施の形態を示すものであり、笠石部と唐戸石部の構造を示す斜視図である。
【図９】本発明における墓石のさらに他の実施の形態を示すものであり、笠石部と唐戸石部の構造を示す斜視図である。
【図１０】従来の墓石の例を示す正面図である。
【図１１】（ａ）は、従来の墓石の他の例を示す正面側の断面図であり、（ｂ）は、従来の墓石の積み重ね方を示す斜視図である。
【符号の説明】
【００５６】
１      根太石部
２      唐戸石部
３      塔石部
４ａ    笠石部
４ｂ    台石部
１０      墓石
２１      凹部
２２      前面開口部
【図１】
2008101443.tif 000003
【図２】
2008101443.tif 000004
【図３】
2008101443.tif 000005
【図４】
2008101443.tif 000006
【図５】
2008101443.tif 000007
【図６】
2008101443.tif 000008
【図７】
2008101443.tif 000009
【図８】
2008101443.tif 000010
【図９】
2008101443.tif 000011
【図１０】
2008101443.tif 000012
【図１１】
2008101443.tif 000013